(57)【要約】【課題】  後身頃上で被介護者を横向きから仰向きへと回転させる際に、後身頃と身体との左右幅中心の位置合わせを容易とした介護用衣類及び介護用衣類ユニット並びに介護用衣類ユニットの着衣作業方法を提供する。【解決手段】  アンダーシャツ２０（本体２０Ａ）の左右の前身頃２０Ｌ，２０Ｒと左右の肩部２０ＡＬ，２０ＡＲとを開き、広げた寝間着１０の上に載置する。このとき、アンダーシャツ２０の背中心表示線２０Ｃが寝間着１０の背中心表示線１０Ｃと一致するように、かつ、アンダーシャツ２０の仮止め用雌ファスナ片２０ＦＦが寝間着１０の対応する雄ファスナ片ＦＭと接合するように重ね合わせる。被介護者を横向きから仰向けに回転してアンダーシャツ２０上に横たえる。【選択図】        図５
2005226177.tif 000002
【特許請求の範囲】
【請求項１】
少なくとも被介護者の臀部相当位置よりも上方では縫い合わせ糸目のない１枚の布により形成された後身頃と、その後身頃の左右端から前方へ連なって形成された左右の前身頃とを有する介護用衣類であって、
前記後身頃の左右幅のほぼ中心位置の内面には、上下方向に沿って背中心表示部が形成され、
一方、前記左右の前身頃には、上下方向に延びる前身頃ファスナ配設仮想線に沿って複数の面ファスナがそれぞれ断続的に配置されるとともに、
各々の面ファスナは、前記左右の前身頃が直接に又は補助連結用の前身頃を介して間接的に被介護者の前方で重ね合わせられたとき、それら左右の前身頃及び補助の前身頃の組み合わせのうち内側に位置する内側前身頃の外面に固着され接触面積が相対的に大きいループ状の雌ファスナ片と、外側に位置する外側前身頃の内面に固着され接触面積が相対的に小さいフック状の雄ファスナ片とが対をなして形成されることを特徴とする介護用衣類。
【請求項２】
前記内側前身頃の雌ファスナ片の左右幅が前記外側前身頃の雄ファスナ片の左右幅よりも大に形成され、
被介護者の体格差に応じて前記雌ファスナ片と雄ファスナ片との左右方向の接合位置関係を調整可能である請求項１に記載の介護用衣類。
【請求項３】
前記内側前身頃の雌ファスナ片の上下幅が前記外側前身頃の雄ファスナ片の上下幅よりも大に形成され、
前記雌ファスナ片と雄ファスナ片との上下方向の接合位置のずれを許容可能である請求項１又は２に記載の介護用衣類。
【請求項４】
前記外側前身頃の外面には、内面に固着された前記雄ファスナ片の位置を表示するための前身頃ファスナ位置表示部が、各雄ファスナ片に対応させて形成されている請求項１ないし３のいずれか１項に記載の介護用衣類。
【請求項５】
前記背中心表示部は、前記１枚の後身頃に針を通すことにより糸目が形成された非縫い合わせ糸目により線状に構成されている請求項１ないし４のいずれか１項に記載の介護用衣類。
【請求項６】
前記面ファスナは、前記左右の前身頃が直接に又は前記補助の前身頃を介して間接的に被介護者の前方で重ね合わせられたとき、被介護者の前方から見て前記前身頃ファスナ配設仮想線が前記背中心表示部と平行状になるように配置されている請求項５に記載の介護用衣類。
【請求項７】
請求項１ないし６のいずれか１項に記載の介護用衣類としての寝衣と、
請求項１ないし６のいずれか１項に記載の介護用衣類としての肌着と、
を含むことを特徴とする介護用衣類ユニット。
【請求項８】
前記寝衣の左右の肩部がそれぞれ裏衿から袖口まで上下に開閉可能とされ、肩線方向に延びる肩ファスナ配設仮想線に沿って複数の面ファスナが断続的に配置されるとともに、
各々の面ファスナは、開閉可能な上下の肩布が被介護者の前方で重ね合わせられたとき、内側に位置する下側肩布の外面に固着され接触面積が相対的に大きいループ状の雌ファスナ片と、外側に位置する上側肩布の内面に固着され接触面積が相対的に小さいフック状の雄ファスナ片とが対をなして形成され、
一方、前記肌着の肩部外面には、前記寝衣の内側に載置されたとき、その寝衣の肩部に配置された複数の雄ファスナ片のうちの少なくともいずれかに対応する位置に、仮止め用雌ファスナ片が固着されている請求項７に記載の介護用衣類ユニット。
【請求項９】
前記仮止め用雌ファスナ片は、前記肌着の首回りにおいて２ヶ所以上に配置されている請求項８に記載の介護用衣類ユニット。
【請求項１０】
前記下側肩布の雌ファスナ片の上下幅が前記上側肩布の雄ファスナ片の上下幅よりも大に形成され、
被介護者の体格差に応じて前記雌ファスナ片と雄ファスナ片との上下方向の接合位置関係を調整可能である請求項８又は９に記載の介護用衣類ユニット。
【請求項１１】
前記下側肩布の雌ファスナ片の左右幅が前記上側肩布の雄ファスナ片の左右幅よりも大に形成され、
前記雌ファスナ片と雄ファスナ片との左右方向の接合位置のずれを許容可能である請求項８ないし１０のいずれか１項に記載の介護用衣類ユニット。
【請求項１２】
前記上側肩布の外面には、内面に固着された前記雄ファスナ片の位置を表示するための肩ファスナ位置表示部が、各雄ファスナ片に対応させて形成されている請求項８ないし１１のいずれか１項に記載の介護用衣類ユニット。
【請求項１３】
請求項８ないし１２のいずれか１項に記載の介護用衣類ユニットの着衣作業方法であって、
前記寝衣の左右の前身頃及び左右の肩部と前記肌着の左右の前身頃とをそれぞれ開いて、前記寝衣の背中心表示部と前記肌着の背中心表示部とを重ね合わせ、かつ前記肌着の仮止め用雌ファスナ片と前記寝衣の雄ファスナ片とを接合させながら、前記寝衣の内側に前記肌着を載置し、さらにその上に被介護者を仰向けに横たえる準備作業工程と、
前記肌着の左右の前身頃を閉じるために、前記肌着の仮止め用雌ファスナ片と前記寝衣の雄ファスナ片との接合を解除しながら、前記肌着の外側前身頃の雄ファスナ片と内側前身頃の雌ファスナ片とを接合させる肌着前身頃閉鎖作業工程と、
前記寝衣の左右の前身頃を閉じるために、前記寝衣の外側前身頃の雄ファスナ片と内側前身頃の雌ファスナ片とを接合させる寝衣前身頃閉鎖作業工程と、
前記寝衣の左右の肩部を閉じるために、前記下側肩布の雌ファスナ片と上側肩布の雄ファスナ片とを接合させる寝衣肩部閉鎖作業工程と、
を含むことを特徴とする介護用衣類ユニットの着衣作業方法。
【請求項１４】
請求項１ないし６のいずれか１項に記載の介護用衣類としての上下分割型寝衣の上衣と、
請求項１ないし６のいずれか１項に記載の介護用衣類としての上下分割型寝衣の下衣と、
を含むことを特徴とする介護用衣類ユニット。
【請求項１５】
前記上衣と下衣とが互いの前記背中心表示部を一致させて上下方向に部分的に重ね合わせて載置されたとき、それら上衣と下衣とのうち内側に位置する内衣の前記外側前身頃の外面には、外側に位置する外衣の前記外側前身頃の内面に固着された複数の雄ファスナ片のうちの少なくともいずれかに対応する位置に、仮止め用雌ファスナ片が固着されるとともに、
前記外衣の内側前身頃の内面には、前記内衣の内側前身頃の外面に固着された複数の雌ファスナ片のうちの少なくともいずれかに対応する位置に、仮止め用雄ファスナ片が固着されている請求項１４に記載の介護用衣類ユニット。
【請求項１６】
前記仮止め用雌ファスナ片及び仮止め用雄ファスナ片は、それぞれ１ヶ所以上に配置されている請求項１５に記載の介護用衣類ユニット。
【請求項１７】
前記上衣及び下衣の前記左右の前身頃を開いたとき、前記背中心表示部と前記前身頃ファスナ配設仮想線とがすべて平行状でかつその離間距離が前記上衣と下衣とでほぼ等しく設定されている請求項１５又は１６に記載の介護用衣類ユニット。
【請求項１８】
請求項１５ないし１７のいずれか１項に記載の介護用衣類ユニットの着衣作業方法であって、
前記上衣の左右の前身頃と前記下衣の左右の前身頃とをそれぞれ開いて、前記上衣の背中心表示部と前記下衣の背中心表示部とを部分的に重ね合わせ、かつ前記内衣の仮止め用雌ファスナ片と前記外衣の雄ファスナ片とを接合させるとともに、前記外衣の仮止め用雄ファスナ片と前記内衣の雌ファスナ片とを接合させながら、前記外衣の内側に前記内衣を載置し、さらにその上に被介護者を仰向けに横たえる準備作業工程と、
前記内衣の左右の前身頃を閉じるために、前記内衣の仮止め用雌ファスナ片と前記外衣の雄ファスナ片との接合及び前記外衣の仮止め用雄ファスナ片と前記内衣の雌ファスナ片との接合をそれぞれ解除しながら、前記内衣の外側前身頃の雄ファスナ片と内側前身頃の雌ファスナ片とを接合させる内衣閉鎖作業工程と、
前記外衣の左右の前身頃を閉じるために、前記外衣の外側前身頃の雄ファスナ片と内側前身頃の雌ファスナ片とを接合させる外衣閉鎖作業工程と、
を含むことを特徴とする介護用衣類ユニットの着衣作業方法。
【発明の詳細な説明】
【技術分野】
【０００１】
本発明は、被介護者を介護するための介護用衣類、複数の介護用衣類を組み合わせた介護用衣類ユニット、及び介護用衣類ユニットの着衣作業方法に関する。
【背景技術】
【０００２】
高齢化社会の到来等に伴って、従来より寝衣・肌着等の介護用衣類について種々の提案がなされているが、被介護者が身体不自由な老人・身体障害者・病人等の寝たきりの患者である場合に、介護用衣類の着せ替え（着衣と脱衣）作業は介護者にとって過重な労力の負担となる。そこで、例えば上下分割型介護用寝衣（パジャマ）の上衣において、左右の前身頃同士及び左右の肩部をそれぞれ開閉可能な重ね合わせ式とし、その重ね合わせ部にループ状の雌ファスナ片とフック状の雄ファスナ片とからなる面ファスナを配設して、着せ替え作業に要する介護者の負担を軽減する技術が開示されている（特許文献１参照）。また、同様の技術は肌着（アンダーシャツ）においても開示されている（特許文献２参照）。これらの介護用衣類を着衣させる際には、ループ状の雌ファスナ片とフック状の雄ファスナ片との接合を解除して左右の前身頃や左右の肩部を開いた介護用衣類をベッドや布団の上に広げておき、その衣類の後身頃上で被介護者を横向きから仰向きへと約９０°回転させればよいから、介護者の労力が軽減される。
【０００３】
【特許文献１】実用新案登録第３０４４２３９号公報
【特許文献２】実開昭６１−４３２０５号公報
【０００４】
このように、面ファスナによって開閉可能とした重ね合わせ部を設ければ、確かに着せ替え（着衣と脱衣）作業に要する介護者の労力負担を軽減できるが、他方では着衣作業に際して次のような不都合を生じる。
（１）被介護者を横向きから仰向きへと回転させる際に衣類（後身頃）と身体との左右幅中心の位置合わせが困難で、回転後に被介護者の身体の下敷きになった衣類（後身頃）の裾等を無理やり引っ張って位置矯正する必要がある。つまり、面ファスナによって介護者の着せ替え作業に要する労力の負担は軽減されるが、着衣作業時の位置矯正の負担（手間）は増大する。
（２）特に、介護用衣類としての寝衣と肌着とを介護用衣類ユニット（介護用衣類セット）として組み合わせ、同時に着衣させようとすると、被介護者・肌着（後身頃）・寝衣（後身頃）３者の左右幅中心位置が相互にずれやすいため、位置矯正が一層困難となる。
（３）さらには、被介護者の体格差や上記した衣類（後身頃）と身体との左右幅中心の位置ずれ等によって、ループ状の雌ファスナ片とフック状の雄ファスナ片との位置ずれが大きくなると、両ファスナ片が接合（接触）できなくなるおそれもある。
（４）しかも、寝衣の後身頃は一般の衣服同様背縫いにより２枚の布が縫い合わされているため、寝衣の位置矯正時に被介護者の苦痛を伴う場合があり、また、被介護者が寝たきりであれば床擦れ（褥瘡）も起こりやすい。
【発明の開示】
【発明が解決しようとする課題】
【０００５】
本発明の課題は、後身頃上で被介護者を横向きから仰向きへと回転させる際に、後身頃と身体との左右幅中心の位置合わせを容易とした介護用衣類及び介護用衣類ユニット並びに介護用衣類ユニットの着衣作業方法を提供することにある。
【課題を解決するための手段及び発明の効果】
【０００６】
上記課題を解決するために、本発明に係る介護用衣類は、
少なくとも被介護者の臀部相当位置よりも上方では縫い合わせ糸目のない１枚の布により形成された後身頃と、その後身頃の左右端から前方へ連なって形成された左右の前身頃とを有する介護用衣類であって、
前記後身頃の左右幅のほぼ中心位置の内面には、上下方向に沿って背中心表示部が形成され、
一方、前記左右の前身頃には、上下方向に延びる前身頃ファスナ配設仮想線に沿って複数の面ファスナがそれぞれ断続的に配置されるとともに、
各々の面ファスナは、前記左右の前身頃が直接に又は補助連結用の前身頃を介して間接的に被介護者の前方で重ね合わせられたとき、それら左右の前身頃及び補助の前身頃の組み合わせのうち内側に位置する内側前身頃の外面に固着され接触面積が相対的に大きいループ状の雌ファスナ片と、外側に位置する外側前身頃の内面に固着され接触面積が相対的に小さいフック状の雄ファスナ片とが対をなして形成されることを特徴とする。
【０００７】
（１）本発明の介護用衣類によれば、後身頃に形成された背中心表示部によって、被介護者を横向きから仰向きへと回転させる際に後身頃と身体との左右幅中心の位置合わせが容易となり、回転後に後身頃等の位置矯正を行わなくてもすむようになる。このように、面ファスナ及び背中心表示部によって、介護者の着せ替え作業に要する労力の負担と着衣作業時の位置矯正の負担（手間）とがともに軽減される。
【０００８】
（２）本発明の面ファスナは、ループ状の雌ファスナ片とフック状の雄ファスナ片とが対をなして形成され、内側前身頃の外面に固着される雌ファスナ片の接触面積が外側前身頃の内面に固着される雄ファスナ片の接触面積よりも大に形成されている。したがって、被介護者の体格差や後身頃と身体との左右幅中心の位置ずれ等によって、ループ状の雌ファスナ片とフック状の雄ファスナ片との位置ずれが生じても、両ファスナ片が接合（接触）できなくなるおそれは小さい。なお、本発明では「補助（連結用）の前身頃」として、例えば腹当て式の前身頃を左右の前身頃とは別体で用いる場合がある。
【０００９】
（３）本発明の介護用衣類では、後身頃が縫い合わせ糸目のない１枚の布により形成されているので、背中心表示部を後身頃の布地と段差なく形成することができる。したがって、背中心表示部により着衣作業時の後身頃の位置矯正の必要がほとんどなくなり、位置矯正が必要な時にも段差がないため被介護者の苦痛を緩和できる。また、被介護者が寝たきりであっても床擦れ（褥瘡）が起こりにくい。
【００１０】
ここで、「背中心表示部」には、表示線、表示マーク、表示模様等が含まれる。また、それらの表示方法として、非縫い合わせ糸目を形成する方法、布地に印刷する方法、インキ・絵具等を塗布する方法、シール等を貼付けする方法等が用いられ、いずれの方法によっても背中心表示部を後身頃の布地と段差なく形成することが可能である。このうち、背中心表示部を、１枚の後身頃に針を通すことにより糸目が形成された非縫い合わせ糸目により線状（背中心表示線）に構成する場合には、介護用衣類を縫製するときに併せて後身頃に背中心表示部を形成すればよいので、製造コストを抑制（圧縮）することができる。勿論、後身頃には複数の布地を重ねて縫い合わせていないので、被介護者の苦痛が緩和されるとともに床擦れも防止される。さらに、かがり縫いの際の仮止めとして用いられる通称「捨てミシン」を利用して非縫い合わせ糸目を形成すれば、後身頃の内面の糸色を布地（後身頃）とは異なる色にするだけで通常のミシン縫いができる。なお、本発明でいう「内面（内側）」は身に纏ったとき被介護者（の身体）に近い面（側）を意味し、「外面（外側）」は身に纏ったとき被介護者（の身体）に遠い面（側）を意味する。
【００１１】
一般に、雄ファスナ片はフック状を呈するために比較的硬質の素材で構成され、かつ布帛（織布又は不織布）・繊維等に接合（付着）する性質（機能）を有する（ただし雄ファスナ片同士では接合しない）。一方、雌ファスナ片はループ状を呈するために比較的軟質の素材で構成され、かつ布帛（織布又は不織布）・繊維等に接合（付着）しない性質（機能）を有する。したがって、雌ファスナ片が位置調整等のために接触面積大に形成され、雄ファスナ片との接合部分以外で露出していても、露出部分に例えばタオルや他の衣類等が付着しにくい。
【００１２】
具体的には、雌ファスナ片の接触面積を雄ファスナ片の接触面積よりも大に形成するために、内側前身頃の雌ファスナ片の左右幅を外側前身頃の雄ファスナ片の左右幅よりも大に形成し、被介護者の体格差に応じて雌ファスナ片と雄ファスナ片との左右方向の接合位置関係を調整可能とすることが望ましい。
また、内側前身頃の雌ファスナ片の上下幅を外側前身頃の雄ファスナ片の上下幅よりも大に形成し、雌ファスナ片と雄ファスナ片との上下方向の接合位置のずれを許容可能としてもよい。
【００１３】
そして、内面に固着された雄ファスナ片の位置を表示するための前身頃ファスナ位置表示部を、雄ファスナ片に対応させて外側前身頃の外面に形成すれば、ボタンやホックを用いなくても介護者に左右の前身頃の止め付け位置（面ファスナ位置）を的確に示すことができ、着せ替え作業時間の短縮を図ることができる。なお、「前身頃ファスナ位置表示部」には、表示線、表示マーク、表示模様、表示飾り等が含まれる。また、それらの表示方法として、刺繍（ステッチ）を施す方法、布地に印刷する方法、インキ・絵具等を塗布する方法、シール等を貼付けする方法、縫糸等によって縫付ける方法等が用いられる。
【００１４】
さらに、左右の前身頃が直接に又は補助の前身頃を介して間接的に被介護者の前方で重ね合わせられたとき、被介護者の前方から見て前身頃ファスナ配設仮想線が背中心表示部（背中心表示線）と平行状になるように面ファスナを配置することができる。これによって、後身頃及び前身頃を被介護者の身体に沿ってスムーズに着衣させることができるので、着衣作業後に介護用衣類の裾等を整えたりする必要がほとんどなくなる。
【００１５】
なお、このような「面ファスナ」として、“マジックテープ”（ベルクロ社登録商標）、“マジックファスナ”（クラレ社登録商標）等が知られている。最近では、フック状部分とループ状部分とを併せ持ち、雌ファスナ片及び雄ファスナ片に共用できる“フリーマジック”（クラレ社登録商標）等の「雌雄兼用の面ファスナ」も用いられている（雌雄兼用の面ファスナ同士は接合する）。したがって、本発明の「面ファスナ」では、フック状の雄ファスナ片の代わりに「雌雄兼用の面ファスナ」を用いてもよい。
【００１６】
また、本発明の「介護用衣類」には以下のものが含まれる。
（ａ）上下一体型寝衣……ワンピースタイプ（寝間着スタイル）
（ｂ）上下分割型寝衣……セパレートタイプ（パジャマスタイル）の上衣（上着部）及び／又は下衣（ズボン部、スカート部）
（ｃ）肌着……アンダーシャツ、パンツ等
（ｄ）胴着……ベスト（チョッキ）等
【００１７】
次に、上記課題を解決するために、本発明に係る第一の介護用衣類ユニットは、以上で説明した介護用衣類としての寝衣と同じく介護用衣類としての肌着とを含んで（組み合わせて）構成される。具体的には、
寝衣の左右の肩部がそれぞれ裏衿から袖口まで上下に開閉可能とされ、肩線方向に延びる肩ファスナ配設仮想線に沿って複数の面ファスナが断続的に配置されるとともに、
各々の面ファスナは、開閉可能な上下の肩布が被介護者の前方で重ね合わせられたとき、内側に位置する下側肩布の外面に固着され接触面積が相対的に大きいループ状の雌ファスナ片と、外側に位置する上側肩布の内面に固着され接触面積が相対的に小さいフック状の雄ファスナ片とが対をなして形成され、
一方、肌着の肩部外面には、寝衣の内側に載置されたとき、その寝衣の肩部に配置された複数の雄ファスナ片のうちの少なくともいずれかに対応する位置に、仮止め用雌ファスナ片が固着されている。
【００１８】
このように、肌着の肩部外面に仮止め用雌ファスナ片を設けることによって、寝衣と肌着とを介護用衣類ユニットとして組み合わせ、同時に着衣させる際に、被介護者の身体・肌着の後身頃・寝衣の後身頃の計３つの左右幅中心位置がずれにくくなり、着衣作業後の位置矯正をほとんど要しなくなる。また、寝衣の内側に肌着を載置して仮止めするための面ファスナは雌ファスナ片で構成されているので、例えばタオルや他の衣類等が付着しにくい。その場合、仮止め用雌ファスナ片を肌着の首回りにおいて２ヶ所以上に配置すれば、着衣作業の際に肌着の後身頃と寝衣の後身頃との位置ずれが一層発生しにくくなる。なお、ここでの寝衣は、上下一体型寝衣（寝間着）又は上下分割型寝衣（パジャマ）の上衣（上着部）を意味する。また、寝衣の上側肩布の外面には、上記した「前身頃ファスナ位置表示部」と同様の「肩ファスナ位置表示部」を形成してもよい。
【００１９】
したがって、上記課題を解決するために、本発明に係る第一の介護用衣類ユニットの着衣作業方法は、
寝衣の左右の前身頃及び左右の肩部と肌着の左右の前身頃とをそれぞれ開いて、寝衣の背中心表示部と肌着の背中心表示部とを重ね合わせ、かつ肌着の仮止め用雌ファスナ片と寝衣の雄ファスナ片とを接合させながら、寝衣の内側に肌着を載置し、さらにその上に被介護者を仰向けに横たえる準備作業工程と、
肌着の左右の前身頃を閉じるために、肌着の仮止め用雌ファスナ片と寝衣の雄ファスナ片との接合を解除しながら、肌着の外側前身頃の雄ファスナ片と内側前身頃の雌ファスナ片とを接合させる肌着前身頃閉鎖作業工程と、
寝衣の左右の前身頃を閉じるために、寝衣の外側前身頃の雄ファスナ片と内側前身頃の雌ファスナ片とを接合させる寝衣前身頃閉鎖作業工程と、
寝衣の左右の肩部を閉じるために、下側肩布の雌ファスナ片と上側肩布の雄ファスナ片とを接合させる寝衣肩部閉鎖作業工程と、
を含むことを特徴とする。
【００２０】
このように、肌着の仮止め用雌ファスナ片と寝衣の雄ファスナ片とを接合させながら、寝衣の内側に肌着を載置するので、寝衣の背中心表示部と肌着の背中心表示部とを一致させた状態で寝衣と肌着とを同時に無理なく着衣させることができる。
【００２１】
さらに、上記課題を解決するために、本発明に係る第二の介護用衣類ユニットは、以上で説明した介護用衣類としての上下分割型寝衣の上衣と同じく介護用衣類としての上下分割型寝衣の下衣とを含んで（組み合わせて）構成される。具体的には、
上衣と下衣とが互いの背中心表示部を一致させて上下方向に部分的に重ね合わせて載置されたとき、それら上衣と下衣とのうち内側に位置する内衣の外側前身頃の外面には、外側に位置する外衣の前記外側前身頃の内面に固着された複数の雄ファスナ片のうちの少なくともいずれかに対応する位置に、仮止め用雌ファスナ片が固着されるとともに、
外衣の内側前身頃の内面には、内衣の内側前身頃の外面に固着された複数の雌ファスナ片のうちの少なくともいずれかに対応する位置に、仮止め用雄ファスナ片が固着されている。
【００２２】
このように、外衣の外側前身頃の内面に仮止め用雌ファスナ片、外衣の内側前身頃の内面に仮止め用雄ファスナ片をそれぞれ設けることによって、上衣と下衣とを介護用衣類ユニットとして組み合わせ、同時に着衣させる際に、被介護者の身体・上衣の後身頃・下衣の後身頃の計３つの左右幅中心位置がずれにくくなり、着衣作業後の位置矯正をほとんど要しなくなる。その場合、仮止め用雌ファスナ片及び仮止め用雄ファスナ片をそれぞれ１ヶ所以上に配置すれば、着衣作業の際に上衣の後身頃と下衣の後身頃との位置ずれが一層発生しにくくなる。また、上衣及び下衣の左右の前身頃を開いたとき、背中心表示部と前身頃ファスナ配設仮想線とをすべて平行状でかつその離間距離を上衣と下衣とでほぼ等しく設定すれば、上衣及び下衣を被介護者の身体に沿ってスムーズに着衣させることができるので、着衣作業後にこれら介護用衣類の裾等を整えたりする必要がほとんどなくなる。
【００２３】
したがって、上記課題を解決するために、本発明に係る第二の介護用衣類ユニットの着衣作業方法は、
上衣の左右の前身頃と下衣の左右の前身頃とをそれぞれ開いて、上衣の背中心表示部と下衣の背中心表示部とを部分的に重ね合わせ、かつ内衣の仮止め用雌ファスナ片と外衣の雄ファスナ片とを接合させるとともに、外衣の仮止め用雄ファスナ片と内衣の雌ファスナ片とを接合させながら、外衣の内側に内衣を載置し、さらにその上に被介護者を仰向けに横たえる準備作業工程と、
内衣の左右の前身頃を閉じるために、内衣の仮止め用雌ファスナ片と外衣の雄ファスナ片との接合及び外衣の仮止め用雄ファスナ片と内衣の雌ファスナ片との接合をそれぞれ解除しながら、内衣の外側前身頃の雄ファスナ片と内側前身頃の雌ファスナ片とを接合させる内衣閉鎖作業工程と、
外衣の左右の前身頃を閉じるために、外衣の外側前身頃の雄ファスナ片と内側前身頃の雌ファスナ片とを接合させる外衣閉鎖作業工程と、
を含むことを特徴とする。
【００２４】
このように、内衣の仮止め用雌ファスナ片と外衣の雄ファスナ片とを接合させるとともに、外衣の仮止め用雄ファスナ片と内衣の雌ファスナ片とを接合させながら、外衣の内側に内衣を載置するので、上衣の背中心表示部と下衣の背中心表示部とを一致させた状態で上下分割型寝衣の上衣と下衣とを同時に無理なく着衣させることができる。
【発明を実施するための最良の形態】
【００２５】
（実施例１）
次に、本発明の実施の形態を、図面を用いて説明する。図１は本発明に係る介護用衣類としての寝間着（上下一体型寝衣）の一例を示し（図２はその部分拡大図）、図３は同じく介護用衣類としてのアンダーシャツ（肌着）の一例を示している。この実施例では、後述するように、図１の寝間着と図３のアンダーシャツとを本発明に係る介護用衣類ユニットとして同時に着衣させることができる（図４〜図９参照）。
【００２６】
図１に示すように、寝間着１０は、後身頃１０Ｂ，脚部後身頃１２Ｂ，左前身頃１０Ｌ，右前身頃１０Ｒ，左肩部１１Ｌ，右肩部１１Ｒ等が縫い目（縫い合わせ糸目）によって縫い合わされて一体に形成されている。後身頃１０Ｂは、寝間着１０を被介護者に着用させたときにおおよそその膝（図４、図５参照）よりも上方の背中・腰部分（胴部背面）を覆い、縫い目（縫い合わせ糸目）のない１枚の布により形成されている。脚部後身頃１２Ｂは、膝縫い目ＫＳによって後身頃１０Ｂと縫い合わせられ、被介護者の膝下部分を覆う。左前身頃１０Ｌ（右前身頃１０Ｒ）は、後身頃１０Ｂ及び脚部後身頃１２Ｂの左端部（右端部）で脇縫い目ＡＳによって前方へ連なって形成され、被介護者の左側前半身（右側前半身）を覆う。左肩部１１Ｌ（右肩部１１Ｒ）は、前後の肩布１１ｆ，１１ｂが肩縫い目ＳＳによって後身頃１０Ｂ及び左右の前身頃１０Ｌ，１０Ｒと縫い合わせられて筒状に形成され、被介護者の左側肩部分（右側肩部分）を覆う。なお、脇縫い目ＡＳは、寝返り等により被介護者が横を向いたときに違和感（苦痛）を生じないように脇線ＡＬよりも少し前方（左右の前身頃１０Ｌ，１０Ｒ寄り）に位置させてある。
【００２７】
後身頃１０Ｂの内面（被介護者に近い面）及び外面（被介護者に遠い面）には、左右幅のほぼ中心位置の上下方向に沿う背中心表示線１０Ｃ（背中心表示部）が、１枚の布に針を通すことにより形成された非縫い合わせ糸目で形成されている。例えば、かがり縫いの際の仮止めとして用いられる「捨てミシン糸目」により非縫い合わせ糸目を形成すれば、複数の布地を重ねて縫い合わせないので背中心表示線１０Ｃを後身頃１０Ｂの布地と段差なく形成できる。さらに、後身頃１０Ｂの外側の糸色を布地と同色・内側の糸色を布地と異色にすれば、通常のミシン縫いによって、背中心表示線１０Ｃを後身頃１０Ｂの内面ではくっきり表示し、外面ではほとんど目立たなくすることができる。
【００２８】
左右の前身頃１０Ｌ，１０Ｒには、上下方向に延びる左右のファスナ配設仮想線ＩＬ，ＩＲ（前身頃ファスナ配設仮想線）に沿って複数の矩形状（正方形状又は長方形状）の面ファスナＦが、それぞれ所定の間隔をおいて断続的（間欠的）に配置されている。また、脚部後身頃１２Ｂは左脚部後身頃１２ＢＬと右脚部後身頃１２ＢＲとに分割形成され、これら左右の脚部後身頃１２ＢＬ，１２ＢＲには、上下方向に延びる左右のファスナ配設仮想線ＩＬ，ＩＲ（脚部後身頃ファスナ配設仮想線）に沿って複数の矩形状（正方形状又は長方形状）の面ファスナＦが、それぞれ所定の間隔をおいて断続的（間欠的）に配置されている。
【００２９】
そして、これらの仮想線ＩＬ，ＩＲに沿って配置された各々の面ファスナＦは、ループ状の雌ファスナ片ＦＦとフック状の雄ファスナ片ＦＭとが対をなして形成されている。さらに、雌ファスナ片ＦＦは、左右の前身頃１０Ｌ，１０Ｒ［左右の脚部後身頃１２ＢＬ，１２ＢＲ］が被介護者の前方［後方］で重ね合わせられたとき内側に位置する右前身頃１０Ｒ［左脚部後身頃１２ＢＬ］の外面に固着され、その接触面積が対応する雄ファスナ片ＦＭに比して相対的に大きく形成されている。一方、雄ファスナ片ＦＭは、左右の前身頃１０Ｌ，１０Ｒ［左右の脚部後身頃１２ＢＬ，１２ＢＲ］が被介護者の前方［後方］で重ね合わせられたとき外側に位置する左前身頃１０Ｌ［右脚部後身頃１２ＢＲ］の内面に固着され、その接触面積が対応する雌ファスナ片ＦＦに比して相対的に小さく形成されている。
【００３０】
具体的には、図２（ａ）［図２(ｂ)］に示すように、内側に位置する右前身頃１０Ｒ［左脚部後身頃１２ＢＬ］の雌ファスナ片ＦＦの左右幅Ｗ１が、外側に位置する左前身頃１０Ｌ［右脚部後身頃１２ＢＲ］の雄ファスナ片ＦＭの左右幅Ｗ２よりも大に形成され、被介護者の体格差に応じて雌ファスナ片ＦＦと雄ファスナ片ＦＭとの左右方向の接合位置関係を調整可能とされている。また、右前身頃１０Ｒ［左脚部後身頃１２ＢＬ］の雌ファスナ片ＦＦの上下幅Ｈ１が左前身頃１０Ｌ［右脚部後身頃１２ＢＲ］の雄ファスナ片ＦＭの上下幅Ｈ２よりも大に形成され、雌ファスナ片ＦＦと雄ファスナ片ＦＭとの上下方向の接合位置のずれを許容可能とされている。
【００３１】
また、仮想線ＩＬ，ＩＲと背中心表示線１０Ｃとは、左右の前身頃１０Ｌ，１０Ｒ［左右の脚部後身頃１２ＢＬ，１２ＢＲ］が被介護者の前方［後方］で重ね合わせられたとき、被介護者の前方又は後方から見て平行状になるように配置されているので、後身頃１０Ｂ及び前身頃１０Ｌ，１０Ｒ［脚部後身頃１２ＢＬ，１２ＢＲ］を被介護者の身体に沿ってスムーズに着衣させることができる。さらに、外側に位置する左前身頃１０Ｌ［右脚部後身頃１２ＢＲ］の外面には、内面に固着された雄ファスナ片ＦＭの位置を表示するための前身頃ステッチ１０Ｓ（前身頃ファスナ位置表示部）［脚部後身頃ステッチ１２Ｓ（脚部後身頃ファスナ位置表示部）］が、各雄ファスナ片ＦＭに対応させて形成されているので、介護者に左右の前身頃１０Ｌ，１０Ｒ［左右の脚部後身頃１２ＢＬ，１２ＢＲ］の止め付け位置（面ファスナ位置）を的確に示すことができる。なお、これらの雌ファスナ片ＦＦ、雄ファスナ片ＦＭの角隅部に直線状（斜面）又は曲線状（丸み）の面取りを施すことによって、着せ替え作業の際面ファスナＦの角が手指等に当たって痛みを覚えたり怪我をしたりすることがなくなる。
【００３２】
ところで、図１に示す寝間着１０は、左右の前身頃１０Ｌ，１０Ｒ及び左右の脚部後身頃１２ＢＬ，１２ＢＲが両脚を一緒に収容するスカートタイプに構成されているが、片脚ずつ収容するズボンタイプ（図１０）に切り替えることができる。図１において、左脚部後身頃１２ＢＬの雌ファスナ片ＦＦと右脚部後身頃１２ＢＲの雄ファスナ片ＦＭとの接合（図１では３ヶ所）を一旦解除する。次に、図１０に示すように、左脚部後身頃１２ＢＬの雌ファスナ片ＦＦを左前身頃１０Ｌの対応する３ヶ所の雄ファスナ片ＦＭと接合すると、左脚挿入部が形成される。一方、右脚部後身頃１２ＢＲの雄ファスナ片ＦＭを右前身頃１０Ｒの対応する３ヶ所の雌ファスナ片ＦＦと接合すると、右脚挿入部が形成される。これによって、寝間着１０の脚部はリハビリテーション等の際に両脚を動かしやすいズボンタイプに変換される。
【００３３】
ここまでの説明から既に明らかなように、図面上での面ファスナＦを固着面の状況に応じて表１のように表わすこととする。同様に、糸目等を表わす線種を図面上で表２のように使い分けることとする。
【００３４】
【表１】
2005226177.tif 000003
【００３５】
【表２】
2005226177.tif 000004
【００３６】
図１に戻り、寝間着１０の左右の肩部１１Ｌ，１１Ｒは、それぞれ前後の肩布１１ｆ，１１ｂが、肩線ＳＬの前下方において裏衿から袖口まで、後肩布１１ｂを上側肩布とし前肩布１１ｆを下側肩布として上下に開閉可能とされている。肩線ＳＬ方向に延びる肩部のファスナ配設仮想線ＩＳ（肩ファスナ配設仮想線）に沿って複数の矩形状（正方形状又は長方形状）の面ファスナＦが、それぞれ所定の間隔をおいて断続的（間欠的）に配置されている。
【００３７】
そして、この仮想線ＩＳに沿って配置された各々の面ファスナＦも、ループ状の雌ファスナ片ＦＦとフック状の雄ファスナ片ＦＭとが対をなして形成されている。さらに、雌ファスナ片ＦＦは、開閉可能な前後の肩布１１ｆ，１１ｂが上下の肩布として被介護者の前方（肩線ＳＬの前下方）で重ね合わせられたとき内側に位置する下側肩布１１ｆの外面に固着され、接触面積が対応する雄ファスナ片ＦＭに比して相対的に大きく形成されている。一方、雄ファスナ片ＦＭは、外側に位置する上側肩布１１ｂの内面に固着され、接触面積が対応する対応する雌ファスナ片ＦＦに比して相対的に小さく形成されている。
【００３８】
具体的には、図２（ａ）に示すように、内側に位置する下側肩布１１ｆの雌ファスナ片ＦＦの上下幅Ｈ１が、外側に位置する上側肩布１１ｂの雄ファスナ片ＦＭの上下幅Ｈ２よりも大に形成され、被介護者の体格差に応じて雌ファスナ片ＦＦと雄ファスナ片ＦＭとの上下方向の接合位置関係を調整可能とされている。また、下側肩布１１ｆの雌ファスナ片ＦＦの左右幅Ｗ１が上側肩布１１ｂの雄ファスナ片ＦＭの左右幅Ｗ２よりも大に形成され、雌ファスナ片ＦＦと雄ファスナ片ＦＭとの左右方向の接合位置のずれを許容可能とされている。また、外側に位置する上側肩布１１ｂの外面には、内面に固着された雄ファスナ片ＦＭの位置を表示するための肩ステッチ１１Ｓ（肩ファスナ位置表示部）が、各雄ファスナ片ＦＭに対応させて形成されているので、介護者に上下の肩布１１ｆ，１１ｂの止め付け位置（面ファスナ位置）を的確に示すことができる。
【００３９】
図３に示すように、アンダーシャツ２０は、後身頃２０Ｂ，左前身頃２０Ｌ，右前身頃２０Ｒ等が縫い目（縫い合わせ糸目）によって縫い合わされて一体に形成された本体２０Ａと、それとは別体の腹当て２０Ｆ（補助連結用の前身頃）とを有している。後身頃１０Ｂは、本体２０Ａを被介護者に着用させたときに背中部分（胴部背面）を覆い、縫い目（縫い合わせ糸目）のない１枚の布により形成されている。左前身頃２０Ｌ（右前身頃２０Ｒ）は、後身頃２０Ｂの左端部（右端部）で脇縫い目ＡＳによって前方へ連なって形成され、被介護者の左側腹部（右側腹部）を覆う。なお、脇縫い目ＡＳは、寝返り等により被介護者が横を向いたときに違和感（苦痛）を生じないように脇線ＡＬよりも少し前方（左右の前身頃２０Ｌ，２０Ｒ寄り）に位置させてある。また、腹当て２０Ｆは、左右の前身頃２０Ｌ，２０Ｒを被介護者の前方に位置させる際に、被介護者に近い内側に位置して両前身頃２０Ｌ，２０Ｒ間を連結して腹部を覆う。
【００４０】
後身頃２０Ｂの内面（被介護者に近い面）及び外面（被介護者に遠い面）には、左右幅のほぼ中心位置の上下方向に沿う背中心表示線２０Ｃ（背中心表示部）が、寝間着１０の背中心表示線１０Ｃと同様に、１枚の布に針を通すことにより形成された非縫い合わせ糸目で形成されている。
【００４１】
また、左右の前身頃２０Ｌ，２０Ｒには、上下方向に延びる左右のファスナ配設仮想線ＩＬ，ＩＲ（前身頃ファスナ配設仮想線）に沿って複数の矩形状（正方形状又は長方形状）の面ファスナＦが、寝間着１０の面ファスナＦと同様に、それぞれ所定の間隔をおいて断続的（間欠的）に配置されている。ただし、図３の実施例では、左右の前身頃２０Ｌ，２０Ｒが被介護者の前方に位置する際にいずれも外側に位置し、腹当て２０Ｆが内側に位置するので、左右の前身頃２０Ｌ，２０Ｒの内面にはいずれも雄ファスナ片ＦＭが固着されている。なお、内側に位置する腹当て２０Ｆの外面には、上下方向に延びる中央のファスナ配設仮想線ＩＣ（補助前身頃ファスナ配設仮想線）に沿って、両前身頃２０Ｌ，２０Ｒ間を連結するために左右方向に幅広の複数の矩形状雌ファスナ片ＦＦが所定の間隔をおいて断続的（間欠的）に固着されている。
【００４２】
したがって、仮想線ＩＬ，ＩＲ，ＩＣと背中心表示線２０Ｃとは寝間着１０の場合と同様に平行状に配置されている。さらに、外側に位置する左右の前身頃２０Ｌ，２０Ｒの外面には、内面に固着された雄ファスナ片ＦＭの位置を表示するための前身頃ステッチ２０Ｓ（前身頃ファスナ位置表示部）が、各雄ファスナ片ＦＭに対応させて形成されている。
【００４３】
このアンダーシャツ２０では、本体２０Ａの左右の肩部２０ＡＬ，２０ＡＲを上肩布とし、腹当て２０Ｆの左右の肩部２０ＦＬ，２０ＦＲを下肩布として上下に開閉可能とされている。肩線ＳＬ方向に延びる肩部のファスナ配設仮想線ＩＳ（肩ファスナ配設仮想線）に沿って複数の矩形状（正方形状又は長方形状）の面ファスナＦが、寝間着１０の面ファスナＦと同様に、それぞれ所定の間隔をおいて断続的（間欠的）に配置されている。また、外側に位置する本体２０Ａの左右の肩部２０ＡＬ，２０ＡＲの外面には、内面に固着された雄ファスナ片ＦＭの位置を表示するための肩ステッチ２０ＡＳ（肩ファスナ位置表示部）が、各雄ファスナ片ＦＭに対応させて形成されている。
【００４４】
さらに、図１の寝間着１０と同時に着衣させるためにこのアンダーシャツ２０を寝間着１０の内側に載置したとき（図５参照）、本体２０Ａの左右の肩部２０ＡＬ，２０ＡＲの外面において、寝間着１０の左右の肩部１１Ｌ，１１Ｒに配置された複数の雄ファスナ片ＦＦのうちの１個又は複数個に対応する位置に、仮止め用雌ファスナ片２０ＦＦが固着されている。この仮止め用雌ファスナ片２０ＦＦは、寝間着１０とアンダーシャツ２０とを同時に着衣させる際に、被介護者の身体・アンダーシャツ２０の後身頃２０Ｂ・寝間着１０の後身頃１０Ｂの計３つの左右幅中心位置をずれにくくするために設けられる。図３に示すように、仮止め用雌ファスナ片２０ＦＦをアンダーシャツ２０の首回りで左右各１ヶ所（計２ヶ所）に配置すると、これらの位置ずれが小さくなり、着衣作業後の位置矯正を要しなくなる。
【００４５】
次に、図１の寝間着１０と図３のアンダーシャツ２０とを寝間着セット１００（介護用衣類ユニット）として同時に着衣させる際の作業工程（作業方法）について、図４〜図９を用いて説明する。
【００４６】
＜準備作業工程＞（図４〜図６）
（１）寝間着１０の左右の前身頃１０Ｌ，１０Ｒと左右の肩部１１Ｌ，１１Ｒとを開き（展開状態とし）、布団やベッドの上に広げる（図４）。なお、図４のように、左右の前身頃１０Ｌ，１０Ｒを上下方向に沿う半折り状態とすれば、場所を取らずにすむ。また、開いた左右の前身頃１０Ｌ，１０Ｒのうちのいずれか一方の上で被介護者を横向きにしておくと、後の作業がスムーズに行なえる。
（２）アンダーシャツ２０（本体２０Ａ）の左右の前身頃２０Ｌ，２０Ｒと左右の肩部２０ＡＬ，２０ＡＲとを開き（展開状態とし）、広げた寝間着１０の上（内側）に載置する（重ね合わせる；図５）。このとき、アンダーシャツ２０（本体２０Ａの後身頃２０Ｂ）の背中心表示線２０Ｃが寝間着１０（後身頃１０Ｂ）の背中心表示線１０Ｃと一致するように、かつ、アンダーシャツ２０（本体２０Ａの左右の肩部２０ＡＬ，２０ＡＲ）の仮止め用雌ファスナ片２０ＦＦが寝間着１０の対応する雄ファスナ片ＦＭと接合するように重ね合わせる。
（３）被介護者を横向きから仰向けに回転してアンダーシャツ２０の本体２０Ａ上に横たえ、さらにその腹部にアンダーシャツ２０の腹当て２０Ｆを載置する（重ね合わせる；図６）。
【００４７】
＜アンダーシャツ前身頃・肩部閉鎖作業工程＞（図７）
アンダーシャツ２０（本体２０Ａの左右の肩部２０ＡＬ，２０ＡＲ）の仮止め用雌ファスナ片２０ＦＦと寝間着１０の対応する雄ファスナ片ＦＭとの接合を解除する。アンダーシャツ２０において、外側に位置させる左右の前身頃２０Ｌ，２０Ｒ（本体２０Ａ）の雄ファスナ片ＦＭと内側に位置させる腹当て２０Ｆの中央部の雌ファスナ片ＦＦとを接合させるとともに、外側に位置させる左右の肩部２０ＡＬ，２０ＡＲ（本体２０Ａ）の雄ファスナ片ＦＭと内側に位置させる腹当て２０Ｆの左右の肩部２０ＦＬ，２０ＦＲの雌ファスナ片ＦＦとを接合させて、アンダーシャツ２０を閉じる。
【００４８】
＜寝間着前身頃閉鎖作業工程＞（図８）
寝間着１０において、外側に位置させる左前身頃１０Ｌの雄ファスナ片ＦＭと内側に位置させる右前身頃１０Ｒの雌ファスナ片ＦＦとを接合させて、寝間着１０の左右の前身頃１０Ｌ，１０Ｒを閉じる。
【００４９】
＜寝間着肩部閉鎖作業工程＞（図９）
寝間着１０において、内側に位置させる下側肩布１１ｆ（前肩布）の雌ファスナ片ＦＦと上側肩布１１ｂ（後肩布）の雄ファスナ片ＦＭとを接合させて、寝間着１０の左右の肩部１１Ｌ，１１Ｒを閉じる。
【００５０】
なお、着せ替え作業のために脱衣が必要な場合には、以上とは逆の手順で行えばよい。
【００５１】
（実施例２）
図１１は本発明に係る介護用衣類としてのアンダーシャツ（肌着）の他の例を示している。この実施例では、後述するように、図１の寝間着と図１１のアンダーシャツとを本発明に係る介護用衣類ユニットとして同時に着衣させることができる（図１２〜図１４参照）。
【００５２】
図１１に示すアンダーシャツ３０は、図３のアンダーシャツ２０（実施例１）の腹当てを有しない代わりに、右前身頃３０Ｒ及び左右の肩部３０ＡＬ，３０ＡＲが延長形成されている。アンダーシャツ３０は、後身頃３０Ｂと左右の前身頃３０Ｌ，３０Ｒが脇縫い目ＡＳ（縫い合わせ糸目）によって縫い合わされて一体に形成されている。被介護者の前方で体格差に応じて重ね合わせ位置を調整できるように、内側に位置する右前身頃３０Ｒの外面には、上下方向に延びるファスナ配設仮想線ＩＲ（前身頃ファスナ配設仮想線）に沿って、両前身頃２０Ｌ，２０Ｒ間を連結するために左右方向に幅広の複数の矩形状雌ファスナ片ＦＦが所定の間隔をおいて断続的（間欠的）に固着されている。
【００５３】
また、後身頃３０Ｂの左右の肩部３０ＡＬ，３０ＡＲを肩衣のように長く延長形成し（図１３参照）、両肩部３０ＡＬ，３０ＡＲを斜めの肩線ＳＬで折り返したとき、内側となる右肩部３０ＡＲの外面に雌ファスナ片ＦＦを固着し、外側となる左肩部３０ＡＬの内面に雄ファスナ片ＦＭを固着してある。なお、被介護者の前方で体格差に応じて左右の肩部３０ＡＬ，３０ＡＲの重ね合わせ位置を調整できるように、右肩部３０ＡＲ外面の雌ファスナ片ＦＦの接触面積を左肩部３０ＡＬ内面の雄ファスナ片ＦＭの接触面積より大きくしてある。また、図１１（実施例２）において図３（実施例１）と共通する機能を有する部分には同一符号を付して説明を省略する。
【００５４】
次に、図１の寝間着１０と図１１のアンダーシャツ３０とを寝間着セット２００（介護用衣類ユニット）として同時に着衣させる際の作業工程（作業方法）について、図１２〜図１４を用いて説明する。
【００５５】
＜準備作業工程＞（図１２・図１３）
（１）実施例１（図４）と同様に寝間着１０を布団やベッドの上に広げる（図１２）。
（２）実施例１（図５）と同様にアンダーシャツ３０を寝間着１０の上（内側）に載置する（重ね合わせる；図１３）。
（３）被介護者を横向きから仰向けに回転してアンダーシャツ３０の上に横たえる（図１３）。
【００５６】
＜アンダーシャツ前身頃・肩部閉鎖作業工程＞（図１４）
アンダーシャツ３０（左右の肩部３０ＡＬ，３０ＡＲ）の仮止め用雌ファスナ片２０ＦＦと寝間着１０の対応する雄ファスナ片ＦＭとの接合を解除する。アンダーシャツ３０において、内側に位置させる右肩部３０ＡＲの外面の雌ファスナ片ＦＦと外側に位置させる左肩部３０ＡＬの内面の雄ファスナ片ＦＭとを接合させる。さらに、内側に位置させる右前身頃３０Ｒの外面の雌ファスナ片ＦＦと外側に位置させる左前身頃３０Ｌの内面の雄ファスナ片ＦＭとを接合させて、アンダーシャツ３０を閉じる。
【００５７】
＜寝間着前身頃閉鎖作業工程＞（図８）
実施例１（図８）と同一のため説明を省略する。
【００５８】
＜寝間着肩部閉鎖作業工程＞（図９）
実施例１（図９）と同一のため説明を省略する。
【００５９】
（変形例）
図１５はアンダーシャツの変形例を示す。図１５のアンダーシャツ３０’は、図１１（実施例２）に示すアンダーシャツ３０において、右前身頃３０Ｒの延長部分を別体の腹当て３０Ｆ（補助連結用の前身頃）として分離構成したものに相当する。すなわち、この腹当て３０Ｆは、被介護者の前方で体格差に応じて重ね合わせ位置を調整できるように、内側に位置する右前身頃３０Ｒの外面と外側に位置する左前身頃３０Ｌの内面とを接続（連結）する。そのために、腹当て３０Ｆの内面には、右前身頃３０Ｒ外面の雌ファスナ片ＦＦと接合する雄ファスナ片ＦＭが固着され、その外面には、左前身頃３０Ｌ内面の雄ファスナ片ＦＭと接合する左右方向に幅広の雌ファスナ片ＦＦが固着されている。
【００６０】
（実施例３）
図１６は本発明に係る介護用衣類としてのパジャマ上衣（上下分割型寝衣の上着部）の一例を示し、図１７は同じく介護用衣類としてのパジャマ下衣（上下分割型寝衣のスカート部又はズボン部）の一例を示している。この実施例では、後述するように、図１６のパジャマ上衣と図１７のパジャマ下衣とを本発明に係る介護用衣類ユニットとして同時に着衣させることができる（図１８〜図２１参照）。
【００６１】
図１６に示すパジャマ上衣４０は、図１の寝間着１０の上半身部に相当し、脚部後身頃１２Ｂを有しない。また、図１７のパジャマ下衣５０と同時に着衣させるためにこのパジャマ上衣４０の下部（腰部）をパジャマ下衣５０の内側に載置したとき（図１８参照）、パジャマ上衣４０の左前身頃１０Ｌの外面には、仮止め用雌ファスナ片４０ＦＦが固着されている。この仮止め用雌ファスナ片４０ＦＦは、パジャマ上衣４０とパジャマ下衣５０とを同時に着衣させる際に、被介護者の身体・パジャマ上衣４０の後身頃１０Ｂ・パジャマ下衣５０の後身頃１０Ｂの計３つの左右幅中心位置をずれにくくするために設けられる。
【００６２】
図１８に示すように、仮止め用雌ファスナ片４０ＦＦを、パジャマ下衣５０の左前身頃１０Ｌの内面に固着された複数（例えば５個）の雄ファスナ片ＦＭのうち最上位のものに一致するように配置すると、これらの位置ずれが小さくなり、着衣作業後の位置矯正を要しなくなる。なお、図１６において図１（実施例１）と共通する機能を有する部分には同一符号を付して説明を省略する。
【００６３】
図１７に示すパジャマ下衣５０は、図１の寝間着１０の下半身部に相当し、左右の肩部１１Ｌ，１１Ｒを有しない。また、図１６のパジャマ上衣４０と同時に着衣させるためにこのパジャマ下衣５０の上部（腰部）をパジャマ上衣４０の外側に位置させたとき（図１８参照）、パジャマ下衣５０の右前身頃１０Ｒの内面には、仮止め用雄ファスナ片４０ＦＭが固着されている。この仮止め用雄ファスナ片４０ＦＭは、パジャマ上衣４０とパジャマ下衣５０とを同時に着衣させる際に、被介護者の身体・パジャマ上衣４０の後身頃１０Ｂ・パジャマ下衣５０の後身頃１０Ｂの計３つの左右幅中心位置をずれにくくするために設けられる。
【００６４】
図１８に示すように、雄ファスナ片４０ＦＭを、パジャマ上衣４０の右前身頃１０Ｒの内面に固着された複数（例えば４個）の雌ファスナ片ＦＦのうち最下位のものに一致するように配置すると、これらの位置ずれが小さくなり、着衣作業後の位置矯正を要しなくなる。さらに、図２０に示すように、パジャマ上衣４０の左前身頃１０Ｌに固着された仮止め用雌ファスナ片４０ＦＦと、パジャマ下衣５０の右前身頃１０Ｒに固着された仮止め用雄ファスナ片４０ＦＭとが互いに接合できるように位置合わせされている場合には、着衣後の位置ずれも防止することができる。なお、５１は、両端部をボタン５２等で固定され、中途部をベルト通し５３に挿通されたベルトである。図１７において図１（実施例１）と共通する機能を有する部分には同一符号を付して説明を省略する。
【００６５】
次に、図１６のパジャマ上衣４０と図１７のパジャマ下衣５０とをパジャマセット２００（介護用衣類ユニット）として同時に着衣させる際の作業工程（作業方法）について、図１８〜図２１を用いて説明する。
【００６６】
＜準備作業工程＞（図１８・図１９）
（１）パジャマ下衣５０の左右の前身頃１０Ｌ，１０Ｒを開き（展開状態とし）、布団やベッドの上に広げる。パジャマ上衣４０の左右の前身頃１０Ｌ，１０Ｒと左右の肩部１１Ｌ，１１Ｒとを開き（展開状態とし）、その下部（腰部）をパジャマ下衣５０の上部（腰部）内側に載置する。このとき、パジャマ下衣５０（後身頃１０Ｂ）の背中心表示線１Ｃとパジャマ上衣４０（後身頃１０Ｂ）の背中心表示線１０Ｃとが一致するように重ね合わせる。同時に、パジャマ上衣４０の仮止め用雌ファスナ片４０ＦＦとパジャマ下衣５０の最上位の雄ファスナ片ＦＭとを接合させるとともに、パジャマ下衣５０の仮止め用雄ファスナ片４０ＦＭとパジャマ上衣４０の最下位の雌ファスナ片ＦＦとを接合させる（図１８）。
（２）被介護者を横向きから仰向けに回転してパジャマセット２００の上に横たえる（図１９）。
【００６７】
＜パジャマ上衣前身頃・肩部閉鎖作業工程＞（図２０）
パジャマ上衣４０（左前身頃１０Ｌ）の仮止め用雌ファスナ片４０ＦＦとパジャマ下衣５０の対応する雄ファスナ片ＦＭとの接合を解除するとともに、パジャマ下衣５０（右前身頃１０Ｒ）の仮止め用雄ファスナ片４０ＦＭとパジャマ上衣４０の対応する雌ファスナ片ＦＦとの接合を解除する。パジャマ上衣４０において、外側に位置させる左前身頃１０Ｌの雄ファスナ片ＦＭと内側に位置させる右前身頃１０Ｒの雌ファスナ片ＦＦとを係合させて、左右の前身頃１０Ｌ，１０Ｒを閉じる。さらに、内側に位置させる下側肩布１１ｆ（前肩布）の雌ファスナ片ＦＦと上側肩布１１ｂ（後肩布）の雄ファスナ片ＦＭとを接合させて、左右の肩部１１Ｌ，１１Ｒを閉じる。
【００６８】
＜パジャマ下衣前身頃閉鎖作業工程＞（図２１）
パジャマ下衣５０において、外側に位置させる左前身頃１０Ｌの雄ファスナ片ＦＭと内側に位置させる右前身頃１０Ｒの雌ファスナ片ＦＦとを接合させて、左右の前身頃１０Ｌ，１０Ｒを閉じる。
【００６９】
ここで、パジャマ上衣４０の仮止め用雌ファスナ片４０ＦＦとパジャマ下衣５０の仮止め用雄ファスナ片４０ＦＭとが、図２０に示すように位置合わせされている場合には、図２１のようにパジャマ下衣５０の左右の前身頃１０Ｌ，１０Ｒを閉じる際に仮止め用雌ファスナ片４０ＦＦと仮止め用雄ファスナ片４０ＦＭとが係合するので、着衣終了後の位置ずれも防止することができる。
【００７０】
図２２に図１７のパジャマ下衣５０のウェスト調節構造の一例を示す。図２２では２本のゴム製ベルト５１Ｌ，５１Ｒと３個のボタン５２Ｌ，５２Ｒ，５２Ｃとが用いられている。一方の内側ベルト５１Ｒには複数の調節用孔５１ｈが設けられ、このうち一端側の調節用孔５１ｈは、内側に位置する右前身頃１０Ｒ側のボタン５２Ｒに挿通・固定され、多端側の調節用孔５１ｈは、中央に位置するボタン５２Ｃに挿通・固定されている。他方の外側ベルト５１Ｌにも複数の調節用孔５１ｈが設けられ、このうち一端側の調節用孔５１ｈは、外側に位置する左前身頃１０Ｌ側のボタン５２Ｌに挿通・固定され、多端側の調節用孔５１ｈは、中央に位置するボタン５２Ｃに内側ベルト５１Ｒの外側（上方）から挿通・固定されている。
【００７１】
ウェスト調節を行うには、中央ボタン５２Ｃから外側ベルト５１Ｌの調節用孔５１ｈを一旦外した後、異なる調節用孔５１ｈを中央ボタン５２Ｃに挿通・固定すればよい。外側ベルト５１Ｌの調節用孔５１ｈによる調節範囲を超えて調節する場合には、中央ボタン５２Ｃから外側ベルト５１Ｌの調節用孔５１ｈと内側ベルト５１Ｒの調節用孔５１ｈとをともに外し、内側ベルト５１Ｒでの調節後外側ベルト５１Ｌでの調節を上記と同様に行えばよい。このように、内側に位置する右前身頃１０Ｒ側の内側ベルト５１Ｒを常時ロック状態に保持しているので、ウェスト調節の際に外側に位置する左前身頃１０Ｌが不意に開くことを防止できる。
【００７２】
図２３は、図１７のパジャマ下衣５０の脚部構造の変更例である。図２３はズボンタイプの脚部構造を有するパジャマ下衣５０’を示す。パジャマ下衣５０’は、後身頃１０Ｂと左右の前身頃１０Ｌ，１０Ｒと左右の脚部前身頃１２ＢＬ，１２ＢＲとを有している。外側に位置する右前身頃１０Ｒの内面に固着された雄ファスナ片ＦＭと内側に位置する右脚部前身頃１２ＢＲの外面に固着された雌ファスナ片ＦＦとが接合している。一方、外側に位置する左前身頃１０Ｌの内面に固着された雄ファスナ片ＦＭと内側に位置する左脚部前身頃１２ＢＬの外面に固着された雌ファスナ片ＦＦとが接合している。かかる構造によれば、ズボンタイプとスカートタイプとの切り替えはできないが、図２３（ｂ）に示すように股下部を比較的大きく開いて介護作業が行えるので、寝たきりの被介護者等に着用させることができる。なお、図２３（ａ）では、パジャマ下衣５０’のウェスト部に通したゴム製ベルト５１に複数の調節用孔５１ｈが設けられ、そのいずれかを中央に位置するボタン５２Ｃに挿通・固定することによりウェスト調節が行われる。
【００７３】
本発明は、以上で説明した実施例を種々変更して実施することが可能である。例えば、
（１）図１６のパジャマ上衣４０と図１７のパジャマ下衣５０と図３のアンダーシャツ２０とを本発明に係る介護用衣類ユニットとして同時に着衣させることができる。
（２）介護用衣類あるいは介護用衣類ユニットには、胴着、パンツ等を含めることができる。
【図面の簡単な説明】
【００７４】
【図１】本発明に係る介護用衣類としての寝間着の一例を示す正面図及び背面図。
【図２】図１の寝間着の部分拡大図。
【図３】本発明に係る介護用衣類としてのアンダーシャツの一例を示す正面図及び背面図。
【図４】図１の寝間着と図３のアンダーシャツとを本発明に係る介護用衣類ユニットとして同時に着衣させる際の作業工程を示す正面図。
【図５】図４に続く作業工程を示す正面図。
【図６】図５に続く作業工程を示す正面図。
【図７】図６に続く作業工程を示す正面図。
【図８】図７に続く作業工程を示す正面図。
【図９】図８に続く作業工程を示す正面図。
【図１０】図１の寝間着の脚部切替構造を示す部分拡大正面図。
【図１１】本発明に係る介護用衣類としてのアンダーシャツの他の例を示す正面図及び背面図。
【図１２】図１の寝間着と図１１のアンダーシャツとを本発明に係る介護用衣類ユニットとして同時に着衣させる際の作業工程を示す正面図。
【図１３】図１２に続く作業工程を示す正面図。
【図１４】図１３に続く作業工程を示す正面図。
【図１５】図１１のアンダーシャツの変形例を示す正面図及び背面図。
【図１６】本発明に係る介護用衣類としてのパジャマ上衣の一例を示す正面図及び背面図。
【図１７】本発明に係る介護用衣類としてのパジャマ下衣の一例を示す正面図及び背面図。
【図１８】図１６のパジャマ上衣と図１７のパジャマ下衣とを本発明に係る介護用衣類ユニットとして同時に着衣させる際の作業工程を示す正面図。
【図１９】図１８に続く作業工程を示す正面図。
【図２０】図１９に続く作業工程を示す正面図。
【図２１】図２０に続く作業工程を示す正面図。
【図２２】図１７のパジャマ下衣のウェスト調節構造を示す部分拡大図。
【図２３】図１７のパジャマ下衣の脚部構造の変更例を示す正面図。
【符号の説明】
【００７５】
１０      寝間着（上下一体型寝衣；介護用衣類）
１０Ｂ    後身頃
１０Ｃ    背中心表示線（非縫い合わせ糸目；背中心表示部）
１０Ｌ    左前身頃
１０Ｒ    右前身頃
１１Ｌ    左肩部
１１Ｒ    右肩部
２０      アンダーシャツ（肌着；介護用衣類）
２０ＦＦ  仮止め用雌ファスナ片
４０      パジャマ上衣（上下分割型寝衣；介護用衣類）
５０      パジャマ下衣（上下分割型寝衣；介護用衣類）
１００    寝間着セット（介護用衣類ユニット）
２００    パジャマセット（介護用衣類ユニット）
Ｆ        面ファスナ
ＦＦ      雌ファスナ片
ＦＭ      雄ファスナ片
【図１】
2005226177.tif 000005
【図２】
2005226177.tif 000006
【図３】
2005226177.tif 000007
【図４】
2005226177.tif 000008
【図５】
2005226177.tif 000009
【図６】
2005226177.tif 000010
【図７】
2005226177.tif 000011
【図８】
2005226177.tif 000012
【図９】
2005226177.tif 000013
【図１０】
2005226177.tif 000014
【図１１】
2005226177.tif 000015
【図１２】
2005226177.tif 000016
【図１３】
2005226177.tif 000017
【図１４】
2005226177.tif 000018
【図１５】
2005226177.tif 000019
【図１６】
2005226177.tif 000020
【図１７】
2005226177.tif 000021
【図１８】
2005226177.tif 000022
【図１９】
2005226177.tif 000023
【図２０】
2005226177.tif 000024
【図２１】
2005226177.tif 000025
【図２２】
2005226177.tif 000026
【図２３】
2005226177.tif 000027
【手続補正書】
【提出日】平成17年4月15日(2005.4.15)
【手続補正１】
【補正対象書類名】特許請求の範囲
【補正対象項目名】全文
【補正方法】変更
【補正の内容】
【特許請求の範囲】
【請求項１】
少なくとも被介護者の臀部相当位置よりも上方では縫い合わせ糸目のない１枚の布により形成された後身頃と、その後身頃の左右端から前方へ連なって形成された左右の前身頃と、前記後身頃から延長されて形成されるとともに筒状形態を開放可能な左右の肩部とを備えた介護用衣類であって、
左右の前身頃の端部同士が重なり合う胴部重ね合わせ部に複数の面ファスナが所定の間隔で配置され、また前記左右の肩部の各開放端部同士が重なり合う肩部重ね合わせ部にも所定の間隔で複数の面ファスナが配置されて、それら胴部重ね合わせ部及び肩部重ね合わせ部の複数の面ファスナを開放することにより全体を平面状に展開することができ、
さらに前記後身頃にはその左右幅の中央位置の内面に上下方向に沿って、前記展開状態における前記後身頃の中央位置を表示するための背中心表示部が形成され、
前記展開状態において前記後身頃の背中心表示部を被介護者の背中の中心部に合わせるように位置合わせした後、前記胴部重ね合わせ部及び肩部重ね合わせ部の複数の面ファスナを圧着することにより閉じた衣服形態となることを特徴とする介護用衣類。
【請求項２】
少なくとも被介護者の臀部相当位置よりも上方では縫い合わせ糸目のない１枚の布により形成された後身頃と、その後身頃の左右端から前方へ連なって形成された左右の前身頃と、前記後身頃から延長されて形成されるとともに筒状形態を開放可能な左右の肩部とを備えた介護用衣類であって、
左右の前身頃の端部同士が重なり合う胴部重ね合わせ部に複数の面ファスナが所定の間隔で配置され、また前記左右の肩部の各開放端部同士が重なり合う肩部重ね合わせ部にも所定の間隔で複数の面ファスナが配置されて、それら胴部重ね合わせ部及び肩部重ね合わせ部の複数の面ファスナを開放することにより全体を平面状に展開することができ、
さらに前記後身頃にはその左右幅の中央位置の内面に上下方向に沿って、前記展開状態における前記後身頃の中央位置を表示するための背中心表示部が形成され、
前記展開状態において前記後身頃の背中心表示部を被介護者の背中の中心部に合わせるように位置合わせした後、前記胴部重ね合わせ部及び肩部重ね合わせ部の複数の面ファスナを圧着することにより閉じた衣服形態となり、
前記背中心表示部は、前記後見頃をなす１枚の布の中央位置を布厚みに対して縫うように上下方向に沿って形成された糸の縫い目とされたことを特徴とする介護用衣類。
【請求項３】
少なくとも被介護者の臀部相当位置よりも上方では縫い合わせ糸目のない１枚の布により形成された後身頃と、その後身頃の左右端から前方へ連なって形成された左右の前身頃と、前記後身頃から延長されて形成されるとともに筒状形態を開放可能な左右の肩部とを備えた介護用衣類であって、
左右の前身頃の端部同士が重なり合う胴部重ね合わせ部に複数の面ファスナが所定の間隔で配置され、また前記左右の肩部の各開放端部同士が重なり合う肩部重ね合わせ部にも所定の間隔で複数の面ファスナが配置されて、それら胴部重ね合わせ部及び肩部重ね合わせ部の複数の面ファスナを開放することにより全体を平面状に展開することができ、
さらに前記後身頃にはその左右幅の中央位置の内面に上下方向に沿って、前記展開状態における前記後身頃の中央位置を表示するための背中心表示部が形成され、
前記展開状態において前記後身頃の背中心表示部を被介護者の背中の中心部に合わせるように位置合わせした後、前記胴部重ね合わせ部及び肩部重ね合わせ部の複数の面ファスナを圧着することにより閉じた衣服形態となり、
前記背中心表示部は、前記後見頃をなす１枚の布の中央位置を布厚みに対して縫うように上下方向に沿って形成された糸の縫い目とされるとともに、前記糸の縫い目はミシンの下糸と上糸により構成されて、前記後見頃の外面に出る縫い目を形成する上糸又は下糸はその後見頃の外面と同色とされ、前記後見頃の内面に出る縫い目を形成する下糸又は上糸はその後見頃の内面と異色とされて、その異色の糸による縫い目が前記背中心表示部とされたことを特徴とする介護用衣類。
【請求項４】
前記胴部重ね合わせ部において外側に位置する外側前身頃の外面には、その胴部重ね合わせ部に配置された前記面ファスナの位置を表示するための前身頃ファスナ位置表示部が、各面ファスナに対応させて刺繍により形成されている請求項１ないし３のいずれか１項に記載の介護用衣類。
【請求項５】
前記肩部重ね合わせ部において外側に位置する上側肩布の外面には、その肩部重ね合わせ部に配置された前記面ファスナの位置を表示するための肩ファスナ位置表示部が、各面ファスナに対応させて刺繍により形成されている請求項１ないし４のいずれか１項に記載の介護用衣類。
【請求項６】
平面状に展開して広げた介護用衣類としての寝衣の内側に平面状に展開して広げた介護用衣類としての肌着を重ね合わせて、被介護者に同時に着衣させることのできる介護用衣類ユニットであって、
前記寝衣及び肌着は、いずれも、
少なくとも被介護者の臀部相当位置よりも上方では縫い合わせ糸目のない１枚の布により形成された後身頃と、その後身頃の左右端から前方へ連なって形成された左右の前身頃と、前記後身頃から延長されて形成されるとともに筒状形態を開放可能な左右の肩部とを備え、
左右の前身頃の端部同士が重なり合う胴部重ね合わせ部に複数の面ファスナが所定の間隔で配置されて、その胴部重ね合わせ部の複数の面ファスナを開放することを前提として全体を平面状に展開することができ、
前記後身頃にはその左右幅の中央位置の内面に上下方向に沿って、前記展開状態における前記後身頃の中央位置を表示するための背中心表示部が形成され、
前記展開状態において前記後身頃の背中心表示部を被介護者の背中の中心部に合わせるように位置合わせした後、前記胴部重ね合わせ部の複数の面ファスナを圧着することにより閉じた衣服形態となるように構成され、
さらに、前記寝衣の左右の肩部には、各開放端部同士が重なり合う肩部重ね合わせ部に所定の間隔で複数の面ファスナが配置される一方、
前記肌着の肩部外面には、前記寝衣の内側に載置されたとき、その寝衣の肩部に配置された複数の面ファスナのうちの少なくともいずれかに対応する位置に、仮止め用面ファスナが固着されることを特徴とする介護用衣類ユニット。
【請求項７】
前記仮止め用面ファスナは、前記肌着の首回りにおいて２ヶ所以上に配置されている請求項６に記載の介護用衣類ユニット。
【請求項８】
前記仮止め用面ファスナは、前記肌着の首回りにおいて左右各１ヶ所に配置されている請求項６又は７に記載の介護用衣類ユニット。
【手続補正３】
【補正対象書類名】明細書
【補正対象項目名】０００１
【補正方法】変更
【補正の内容】
【０００１】
本発明は、被介護者を介護するための介護用衣類及び複数の介護用衣類を組み合わせた介護用衣類ユニットに関する。
【手続補正４】
【補正対象書類名】明細書
【補正対象項目名】０００５
【補正方法】変更
【補正の内容】
【０００５】
本発明の課題は、後身頃上で被介護者を横向きから仰向きへと回転させる際に、後身頃と身体との左右幅中心の位置合わせを容易とした介護用衣類及び介護用衣類ユニットを提供することにある。
【手続補正５】
【補正対象書類名】明細書
【補正対象項目名】０００６
【補正方法】変更
【補正の内容】
【０００６】
上記課題を解決するために、本発明に係る介護用衣類は、
少なくとも被介護者の臀部相当位置よりも上方では縫い合わせ糸目のない１枚の布により形成された後身頃と、その後身頃の左右端から前方へ連なって形成された左右の前身頃と、前記後身頃から延長されて形成されるとともに筒状形態を開放可能な左右の肩部とを備えた介護用衣類であって、
左右の前身頃の端部同士が重なり合う胴部重ね合わせ部に複数の面ファスナが所定の間隔で配置され、また前記左右の肩部の各開放端部同士が重なり合う肩部重ね合わせ部にも所定の間隔で複数の面ファスナが配置されて、それら胴部重ね合わせ部及び肩部重ね合わせ部の複数の面ファスナを開放することにより全体を平面状に展開することができ、
さらに前記後身頃にはその左右幅の中央位置の内面に上下方向に沿って、前記展開状態における前記後身頃の中央位置を表示するための背中心表示部が形成され、
前記展開状態において前記後身頃の背中心表示部を被介護者の背中の中心部に合わせるように位置合わせした後、前記胴部重ね合わせ部及び肩部重ね合わせ部の複数の面ファスナを圧着することにより閉じた衣服形態となることを特徴とする。
【手続補正６】
【補正対象書類名】明細書
【補正対象項目名】００１７
【補正方法】変更
【補正の内容】
【００１７】
次に、上記課題を解決するために、本発明に係る第一の介護用衣類ユニットは、以上で説明した介護用衣類としての寝衣と同じく介護用衣類としての肌着とを含んで（組み合わせて）構成される。具体的には、
平面状に展開して広げた介護用衣類としての寝衣の内側に平面状に展開して広げた介護用衣類としての肌着を重ね合わせて、被介護者に同時に着衣させることのできる介護用衣類ユニットであって、
前記寝衣及び肌着は、いずれも、
少なくとも被介護者の臀部相当位置よりも上方では縫い合わせ糸目のない１枚の布により形成された後身頃と、その後身頃の左右端から前方へ連なって形成された左右の前身頃と、前記後身頃から延長されて形成されるとともに筒状形態を開放可能な左右の肩部とを備え、
左右の前身頃の端部同士が重なり合う胴部重ね合わせ部に複数の面ファスナが所定の間隔で配置されて、その胴部重ね合わせ部の複数の面ファスナを開放することを前提として全体を平面状に展開することができ、
前記後身頃にはその左右幅の中央位置の内面に上下方向に沿って、前記展開状態における前記後身頃の中央位置を表示するための背中心表示部が形成され、
前記展開状態において前記後身頃の背中心表示部を被介護者の背中の中心部に合わせるように位置合わせした後、前記胴部重ね合わせ部の複数の面ファスナを圧着することにより閉じた衣服形態となるように構成され、
さらに、前記寝衣の左右の肩部には、各開放端部同士が重なり合う肩部重ね合わせ部に所定の間隔で複数の面ファスナが配置される一方、
前記肌着の肩部外面には、前記寝衣の内側に載置されたとき、その寝衣の肩部に配置された複数の面ファスナのうちの少なくともいずれかに対応する位置に、仮止め用面ファスナが固着されることを特徴とする。
【手続補正７】
【補正対象書類名】明細書
【補正対象項目名】００１８
【補正方法】変更
【補正の内容】
【００１８】
このように、肌着の肩部外面に仮止め用面ファスナを設けることによって、寝衣と肌着とを介護用衣類ユニットとして組み合わせ、同時に着衣させる際に、被介護者の身体・肌着の後身頃・寝衣の後身頃の計３つの左右幅中心位置がずれにくくなり、着衣作業後の位置矯正をほとんど要しなくなる。また、寝衣の内側に肌着を載置して仮止めするための面ファスナを雌ファスナ片で構成すれば、例えばタオルや他の衣類等が付着しにくい。その場合、仮止め用面ファスナを肌着の首回りにおいて２ヶ所以上に配置すれば、着衣作業の際に肌着の後身頃と寝衣の後身頃との位置ずれが一層発生しにくくなる。なお、ここでの寝衣は、上下一体型寝衣（寝間着）又は上下分割型寝衣（パジャマ）の上衣（上着部）を意味する。また、寝衣の上側肩布の外面には、上記した「前身頃ファスナ位置表示部」と同様の「肩ファスナ位置表示部」を形成してもよい。